(57)【要約】  本発明は、ビデオ／写真機器のための三脚に関する。三脚は、クロスピース（２）に連結される複数の脚部（３）であって、脚部の少なくとも１つは、クロスピースに分離可能に接続される取り外し可能な脚部（３０）である、複数の脚部（３）と、ビデオ／写真機器の取り付け要素（６）が設けられる柱（５）であって、クロスピース（２）内で滑動可能に係合し、クロスピースから分離可能な柱（５）と、取り付け要素（６）の軸方向反対側において柱（５）に設けられる端部要素（１０）と、を備える。端部要素（１０）は、端部要素を取り外し可能な脚部（３０）に取り外し可能に取り付ける第１の接続装置（１３）を備え、取り外し可能な脚部（３０）および柱（５）がクロスピースから分離されたときに、端部要素（１０）を介して、取り外し可能な脚部（３０）と柱（５）とが互いに接続されて、一脚（１００）が形成される。【選択図】図２
2021529994.tif 000002
【特許請求の範囲】
【請求項１】
ビデオ／写真機器のための三脚であって、
・  クロスピース（２）に連結される複数の脚部（３）であって、前記脚部の少なくとも１つは、前記脚部の第１の端部（３ａ）の領域において、前記クロスピースに分離可能に接続された取り外し可能な脚部（３０）である複数の脚部（３）と、
・  柱（５）であって、前記柱の第１の端部（５ａ）には、ビデオ／写真機器の取り付け要素（６）が設けられ、前記クロスピース（２）内に形成され、前記クロスピースから分離可能な座部（４）の内側に滑動可能に且つ取り外し可能に係合される柱（５）と、
・  前記柱とは異なる端部要素（１０）であって、前記取り付け要素（６）の軸方向反対側において前記柱（５）の第２の端部（５ｂ）と接続される端部要素（１０）と、
を備え、
前記端部要素（１０）は、前記第１の端部（３ａ）の領域において、前記端部要素が前記取り外し可能な脚部（３０）に取り外し可能に取り付けられるように、第１の接続装置（１３）を備え、前記取り外し可能な脚部（３０）および前記柱（５）が前記クロスピースから分離されたときに、前記端部要素（１０）を介して、前記取り外し可能な脚部（３０）と前記柱（５）とが接続されて、一脚（１００）が形成されることを特徴とする、
三脚。
【請求項２】
前記端部要素（１０）は、前記座部（４）の断面よりも大きい断面を有し、前記柱は、滑動可能に係合されて、前記クロスピース（２）からの前記柱（５）の意図しない落下が防止される、請求項１に記載の三脚。
【請求項３】
前記端部要素（１０）は、前記第１の接続装置（１３）とは異なる第２の接続装置（１５）を備え、前記第２の接続装置（１５）は、前記柱（５）の第２の端部（５ｂ）に前記端部要素（１０）を取り外し可能に取り付けるために設けられる、請求項１または２に記載の三脚。
【請求項４】
前記第１の接続装置は、前記端部要素上に形成されたねじ部（１３）を備え、前記ねじ部（１３）は、前記取り外し可能な脚部（３０）の第１の端部（３ａ）上に形成された対応するねじ部（１４）に係合可能である、請求項１〜３のいずれか１項に記載の三脚。
【請求項５】
前記クロスピース（２）は、前記取り外し可能な脚部（３０）の挿入部（３１）を受容するように設けられたスリーブ（２０）と、前記スリーブ（２０）内で前記挿入部（３１）の滑動をロックおよびロック解除するように設けられたロック機構（２１）と、を備える、請求項１〜４のいずれか１項に記載の三脚。
【請求項６】
前記スリーブ（２０）および前記挿入部（３１）には、前記挿入部（３１）が所定の角度位置で前記スリーブ（２０）に受容されるように、位置決め要素（２４，３７）がそれぞれ設けられる、請求項５に記載の三脚。
【請求項７】
前記位置決め要素は、前記スリーブ（２０）および前記挿入部（３１）の一方に形成された半径方向に突出する突出部（２４）と、前記スリーブおよび前記挿入部の他方に形成され、前記突出部と係合可能な座部（３７）と、を備える、請求項６に記載の三脚。
【請求項８】
前記ロック機構（２１）は、前記スリーブ（２０）上に支持される半径方向に収縮可能なカラー（２２）を備え、前記カラー（２２）は、前記スリーブ（２０）に対する前記挿入部（３１）の滑動をロックするように、前記挿入部（３１）の周りで締め付け可能である、請求項５〜７のいずれか１項に記載の三脚。
【請求項９】
前記挿入部（３１）には、前記ロック機構（２１）がロック解除されたときに、前記取り外し可能な脚部（３０）が前記クロスピース（２）から急に落下するのを防止する落下防止要素（３６）が設けられる、請求項５〜８のいずれか１項に記載の三脚。
【請求項１０】
前記落下防止要素は、前記カラー（２２）と前記第１の端部（３ａ）との間の位置において前記挿入部（３１）上に形成された突起部（３６）を備え、前記突起部は、前記挿入部（３１）を解放するために緩められたときに、前記カラー（２２）に当接する、請求項９に記載の三脚。
【発明の詳細な説明】
【技術分野】
【０００１】
本発明は、主請求項の前提部に記載された特徴を有する、一脚に切り替え可能なタイプの、ビデオ／写真機器のための三脚に関する。
【背景技術】
【０００２】
写真機器を支持するための装置を使用することは、写真の技術分野で広く知られており、その中でも特に一般的であり、アマチュアおよびプロフェッショナルのレベルで高く評価されている支持装置は、三脚と一脚である。
【０００３】
一般的に、三脚は、入子式に伸縮可能な複数の脚部を備える。これらの脚部は、クロスピースにヒンジで固定される。ビデオ／写真機器が取り付けられる端部には、支柱が滑動可能に係合する。その一方で、一脚は、単一の入子式伸縮脚部を備える。その上端には、ビデオ／写真機器が取り付けられる。三脚は、より安定した位置決め動作を可能にし、一脚は、より軽量で迅速に動作可能である。
【０００４】
当該技術分野において、一脚に切り替え可能な既知の三脚がさらにある。この三脚では、１つの脚部が、クロスピースから取り外し可能であり且つクロスピースから取り外される必要がある三脚の柱に直接接続可能であるように設けられる。
【０００５】
一般的に、柱は、ビデオ／写真機器とは反対側の端部に取り付けられた端部要素を備える。端部要素は、柱のシャンクよりも大きい断面を有し、移動限界停止部として機能し、柱がクロスピースから滑り落ちるのを防止する。
【０００６】
したがって、柱をクロスピースから分離するには、この端部要素を取り除く必要がある。
【０００７】
このように、クロスピースから分離された脚部は、柱に取り付けられて、一脚が得られる。
【０００８】
しかしながら、上述した先行技術に従って構築された切り替え可能な三脚は、端部要素が柱から分離されたときに、誤って配置される危険性を含むいくつかの欠点を有する。
【０００９】
別の欠点として、三脚を再構築する際に、三脚の正しい機能を維持するために、一脚を形成する脚部を、非常に特殊な角度でクロスピースに取り付ける必要があるという事実が挙げられる。
【００１０】
別の欠点として、クロスピースから脚部を分離する際に、脚部が誤ってクロスピースから落下する危険性があるということが挙げられる。
【００１１】
具体的には、以下の説明および添付の特許請求の範囲において、「三脚」という用語は、複数の脚部が連結されたクロスピースが設けられたスタンドを示すものと理解されたい。ここで、脚部自体の数には特定の制限はなく、３つであってもよく、３つ以外の数であってもよい。
【発明の概要】
【発明が解決しようとする課題】
【００１２】
本発明によって対処される問題は、引用された従来技術を参照して上述した１つまたは複数の欠点を少なくとも部分的に克服するように構造的および機能的に構成された、ビデオ／写真機器のための、一脚に切り替え可能な三脚を提供することである。
【課題を解決するための手段】
【００１３】
添付の特許請求の範囲に従って実現された三脚による本発明によって、上述した問題が解決される。
【００１４】
したがって、本発明の第１の態様において、本発明は、ビデオ／写真機器のための三脚に関する。該三脚は、
・  クロスピースに連結される複数の脚部であって、脚部の少なくとも１つは、脚部の第１の端部の領域において、クロスピースに取り外し可能に取り付けられる、複数の脚部と、
・  柱であって、柱の第１の端部には、ビデオ／写真機器の取り付け要素が設けられ、クロスピース内に形成されてクロスピースから分離可能な座部の内側に滑動可能に且つ取り外し可能に係合される、柱と、
・  柱とは異なる端部要素であって、取り付け要素の軸方向反対側にある柱の第２の端部と接続される端部要素と、
を備える。端部要素は、クロスピースから取り外された脚部の第１の端部に取り外し可能に取り付けられるように、第１の接続装置を備える。
【００１５】
このようにして、柱と脚部とを取り外し、柱の反対側において端部要素を脚部に取り付けることで、一脚を形成することができる。
【００１６】
この特徴によって、端部要素は、柱と脚部との間の接続部として機能して、端部要素が誤って配置されることを防止することができる。また、このようにして、端部要素と脚部との間に、柱と端部要素との間の接続部とは独立して、ある種の接続を設けることができるので、より安全で効果的な接続のタイプを選択することができる。
【００１７】
上述した側面を鑑みて、本発明による三脚は、以下に示す好ましい特徴のうちの少なくとも１つを有してもよい。
【００１８】
好ましくは、端部要素は、座部の断面よりも大きい断面を有し、柱が滑動可能に係合される。
【００１９】
このようにして、端部要素は、移動限界停止部として機能し、柱がクロスピースから滑り落ちるのを防止する。
【００２０】
第１の好ましい実施形態において、端部要素には、移動限界停止部として機能する突出部が設けられる。突出部は、柱をクロスピースから取り外すことができるように、収縮され得る。
【００２１】
この場合、端部要素は、有利には、常に柱に取り付けられた状態であってもよく、移動限界停止部として機能する突出部は、半径方向に突出するように弾性的に付勢されるプッシュボタンまたはレバーを備えてもよい。これらは、操作者による手動または別のタイプの制御方法で移動され得る。
【００２２】
第２の好ましい実施形態において、端部要素は、適切に取り外された後に柱をクロスピースから取り外すことができるように、柱に取り外し可能に取り付けられる。
【００２３】
好ましくは、端部要素は、第１の接続装置とは異なる第２の接続装置を備える。第２の接続装置は、柱の第２の端部に端部要素を取り外し可能に取り付けるために設けられる。
【００２４】
特に好ましくは、第１の接続装置および第２の接続装置は、軸方向反対側で柱と脚部とを同時に取り付けるように、端部要素の両側に向けられる。
【００２５】
好ましくは、第１の接続装置は、端部要素上に形成されたねじ部を備える。ねじ部は、クロスピースから取り外された脚部の第１の端部上に形成された対応するねじ部に係合するように設けられる。
【００２６】
このようにして、取り外し可能な脚部の端部と端部要素との間の接続は、ねじ式であり、特に安全で信頼性が高い。
【００２７】
代替的に、取り外し可能な脚部と端部要素との間には、相互連動式接続や偏心した輪郭を有する接続などのその他のタイプの接続が設けられてもよい。
【００２８】
好ましくは、クロスピースは、取り外し可能な脚部の挿入部を受容するように設けられたスリーブと、スリーブの内側で挿入部をロックおよびロック解除するように設けられたロック機構と、を備える。
【００２９】
好ましくは、挿入部が所定の角度位置でスリーブに受容されるように、スリーブおよび挿入部には、位置決め要素がそれぞれ設けられる。
【００３０】
このようにして、例えば脚部の軸に対して全体として垂直な基部を有さないが、脚部がクロスピースに対して開状態に揺動されたとき（例えば三脚の位置決め手順の間）に完全に支持されるように傾斜している脚部の足部を参照して、挿入部すなわち脚部が正しくクロスピース上に再組み立てされてもよい。
【００３１】
特に好ましい実施形態において、位置決め要素は、スリーブおよび挿入部の一方に形成された半径方向に突出する突出部と、スリーブおよび挿入部の他方に形成され、突出部と係合可能な座部と、を備える。
【００３２】
好ましくは、ロック機構は、スリーブ上に支持される半径方向に収縮可能なカラー（collar）を備える。カラーは、スリーブに対する挿入部の滑動をロックするように、挿入部の周りで締め付けられ得る。
【００３３】
好ましい実施形態において、挿入部には、ロック機構がロック解除されたときに、取り外し可能な脚部がクロスピースから急に落下するのを防止する落下防止要素が設けられる
特に好ましくは、落下防止要素は、カラーと脚部の第１の端部との間に配置された挿入部上に形成された突起部を備える。突起部は、挿入部を解放するために緩められたときに、カラーに当接することができる。
【００３４】
このようにして、クロスピースから意図せずに外れることによる脚部の地面への落下や損傷またはその他の構成要素や機器への損傷を防止することができる。
【図面の簡単な説明】
【００３５】
本発明の特徴および利点は、非限定的な一例として添付の図面を参照して記載する好ましい実施形態の詳細な説明からより明らかになるであろう。
【図１】開状態にある、本発明に従って実現された、ビデオ／写真機器のための三脚の斜視図である。
【図２】図１の三脚の一部を拡大して示す軸方向断面図である。
【図３】脚部および柱がクロスピースから分離された状態にある、図１の三脚の部分斜視図である。
【図４】解体された状態にある、図１の三脚から形成された一脚の図である。
【図５】組み立てられた状態にある、図４の一脚の軸方向断面図である。
【図６】三脚の残りの部分から隔離された状態にある、図１の三脚の構成要素の斜視図である。
【発明を実施するための形態】
【００３６】
図において、本発明に従って実現された三脚が参照符号１によって全体として示されている。
【００３７】
三脚１は、全体として参照符号３によって示される複数の脚部に連結されるクロスピース２を備える。
【００３８】
好ましくは、脚部３は、入子式に伸縮可能であり、それぞれの第１の端部３ａの領域において、クロスピース２に連結される。足部３ｂが適切に設けられた反対側の第２の端部は、地面の上で支持されるように意図されている。
【００３９】
各脚部３には、入子式伸縮延長部のロック手段３ｃが設けられる。また、脚部３は、三脚１の地面上の支持面（図１に示す）を増加させるように脚部３を互いから離れるように移動させる開状態と、脚部３を互いに近づけて移動させる閉状態との間で揺動可能に連結される。
【００４０】
脚部３のうちの１つは、その第１の端部３ａの領域において、クロスピース２に取り外し可能に取り付けられる。脚部３のうちのいずれかであってよいこの脚部は、以下の説明において「取り外し可能な脚部」として示され、添付の図面において参照符号３０によって示されている。
【００４１】
クロスピース２の中央部材２ａには、貫通開口部４が形成される。貫通開口部４は、三脚１のいわゆる「パノラマ」軸を定義する軸Ｘを含む実質的に円筒状の断面を有する。
【００４２】
三脚１は、柱５をさらに備える。その第１の端部５ａには、取り付け要素６が設けられる。取り付け要素は、図示しない従来のビデオ／写真機器またはビデオ／写真機器のための支持ヘッドを取り付けるように配置された、例えばプレートまたはねじ付きピンを備える。
【００４３】
柱５は、クロスピース２の開口部４に係合するように受容され、取り付け要素６がクロスピース２の近くで、実質的に当接する収縮位置と、取り付け要素６がクロスピース２から離れるように移動する延長位置との間で、軸Ｘに沿って滑動可能である（図１参照）。
【００４４】
クロスピース２に対する柱５の軸Ｘに沿った滑動は、当該技術分野において既知のタイプのロック部材によって、所望の位置にロックされてもよい。
【００４５】
取り付け要素６の軸方向反対側にある柱５の第２の端部５ｂの領域には、端部要素１０が設けられる。
【００４６】
端部要素１０は、全体としてコップ状の形状を有し、柱５の端部５ｂに当接する基部１１と、端部要素１０の凹部が柱５の外側に向けられるように、柱５から軸方向に延在する周縁カラー１２と、を備える。
【００４７】
周縁カラー１２の内側には、ねじ部１３が形成される。ねじ部１３は、取り外し可能な脚部３０の第１の端部３ａに対して外側に形成された対応するねじ部１４と係合するように設けられる。
【００４８】
周縁カラー１２に形成されたねじ部１３は、取り外し可能な脚部３０に端部要素１０を安全に接続することができる第１の接続装置を構成する。
【００４９】
端部要素１０は、柱５および座部４よりも大きい断面を有する。これにより、端部要素１０は、移動限界停止部として機能して、柱５がクロスピース２から滑り落ちるのを防止する。
【００５０】
周縁カラー１２の反対側において、端部要素１０の基部１１から軸方向にシャンク１５がさらに延在する。シャンク１５は、雄ねじであり、第２の端部５ｂの領域において柱５に設けられた座部１６内に形成された対応するねじ部に接続されるように配置される。
【００５１】
ねじ付きシャンク１５は、取り外し可能な脚部３０の反対側において、柱５に端部要素１０を独立して安全に接続することができる第２の接続装置を構成する。
【００５２】
このようにして、端部要素１０は、柱５に取り外し可能に取り付けられ、取り外した際に、座部４から滑り出すことにより、柱５をクロスピース２から分離することができる。
【００５３】
クロスピース２は、取り外し可能な脚部３０の挿入部３１を受容するように設けられたスリーブ２０と、スリーブ２０の内側で挿入部３１をロックおよびロック解除するように設けられたロック機構２１と、をさらに備える。
【００５４】
スリーブ２０は、取り外し可能な脚部３０の揺動を許容するように、クロスピース２の中央部材に連結される。
【００５５】
図６において拡大して示す挿入部３１は、変化されている断面を含む、全体として円筒状の形状を有し、取り外し可能な脚部３０の残りの部分に接続されたその軸方向内側端部の側から、より大きい直径を有する第１の部分３２と、わずかに小さい直径を有し、円錐台状の輪郭を有する接合部３４を介して第１の部分３２に接続された第２の部分３３と、さらに小さい直径を有するカラー３５と、を備える。
【００５６】
有利には、取り外し可能な脚部３０の第１の端部３ａに向けて直径が徐々に減少する挿入部３１の適合によって、スリーブ２０の内側において取り外し可能な脚部３０の挿入を促進および誘導することができる。
【００５７】
取り外し可能な脚部３０と端部要素１０とを接続するねじ部１４は、カラー３５の近くで第２の部分３３上に形成される。
【００５８】
ロック機構２１は、スリーブ２０上に支持される半径方向に収縮可能なカラー２２を備える。カラー２２は、スリーブ２０の内側で挿入部３１の滑動をロックするように、挿入部３１の第１の部分３２の周りで締め付け可能である。
【００５９】
特に、カラー２２は、スリーブ２０の端部にねじ込まれるように係合するリング２３に接続される。これにより、リングをいずれかの方向に回転することで、スリーブ２０の内側でカラー２２を軸方向に移動することができる。カラー２２の外壁、およびカラー２２と接触するスリーブ２０の内壁は、円錐状の輪郭をそれぞれ有する。これにより、カラー２２がスリーブ２０の内部に向けて軸方向に移動されたときに、同時に半径方向に収縮するように付勢されて、挿入部３１の第１の部分３２の周りで圧縮される。
【００６０】
挿入部３１をロック解除して取り外し可能な脚部３０をスリーブ２０から取り外すには、リング２３を単に反対方向に回転させるだけでよい。
【００６１】
有利には、挿入部３１、特に第１の部分３２と接続部３４との間には、円周方向に延在し、第１の部分３２の直径よりもわずかに大きい直径を有する突起部３６が設けられる。
【００６２】
突起部３６は、取り外し可能な脚部３０のための落下防止要素として機能し、ロック機構２１がロック解除された際に、脚部がクロスピース２から意図せずに外れることを防止する。
【００６３】
実際、取り外し可能な脚部を所定の位置から解放するためにカラー２２が緩められると、挿入部３１は、突起部３６がカラー２２の上縁に当接するまで、スリーブ２０の外側に向けて滑動する。これにより、取り外し可能な脚部の落下を防止することができる。
【００６４】
脚部３０の取り外し動作を完了させるには、カラー２２をさらに緩める必要がある。
【００６５】
スリーブ２０の内側には、半径方向に突出する突出部２４がさらに設けられる。突出部２４は、例えばカラー３５に形成された外側に向けて開口するスロットによって構成された座部３７内で係合可能である。
【００６６】
突出部２４および座部３７は、挿入部３１が所定の角度位置でスリーブ２０に受容されるように、位置決め要素として機能する。
【００６７】
実際、異なる角度位置において、突出部２４は、カラー３５の上縁に当接して、挿入部３１がスリーブ２０内に完全に挿入されるのを防止する。
【００６８】
取り外し可能な脚部３０がクロスピース２に取り付けられると、三脚１は、取り外し可能な脚部３０を含む脚部３を必要に応じて揺動および延長させることによって、従来の三脚として使用され得る。これにより、柱５に直接取り付けられるか、より適切には、支持ヘッドに取り付けられる機器によって、写真を撮影するため（またはビデオ録画のため）に所望の位置に三脚を配置することができる。
【００６９】
さらに、本発明の特徴により、三脚１は、図４および図５に示す一脚１００に切り替えることができる。
【００７０】
一脚１００を形成するには、クロスピース２から柱５および取り外し可能な脚部３０を分離する必要がある。特に、柱５は、座部１６からシャンク１５を緩めて端部要素１０を取り外した後に、座部４からクロスピース２を取り外すことによってクロスピース２から分離され、取り外し可能な脚部３０は、リング２３を緩めてスリーブ２０から挿入部３１を取り外すことによって、クロスピース２から分離される。
【００７１】
この時点で、端部要素１０は、周縁カラー１２に形成されたねじ部１３を、挿入部３１の第２の部分３３の外側に形成された対応するねじ部１４にねじ込むことによって、取り外し可能な脚部に接続され、柱５は、座部１６のシャンク１５をねじ込むことによって、取り外し可能な脚部３０の反対側で端部要素１０に再び接続されて、一脚１００を得ることができる。
【００７２】
したがって、一脚１００は、端部要素１０も備え、これにより、端部要素１０が誤って配置されることを防止することができる。
【００７３】
三脚状の構成１に戻すには、クロスピース２に取り外し可能な脚部３０および柱５が接続された状態を再現した後に、上述した手順を逆に行うだけでよい。
【００７４】
したがって、本発明は、引用された従来技術を参照して上述した欠点を克服しながら、取り外し可能な脚部と柱との間に端部要素を介在させることで、得られる一脚が特に安全であるという事実を含む、多くの利点を提供する。
【００７５】
言うまでもなく、本願の具体的且つ偶発的な要件を満たす目的で、当業者は、添付の特許請求の範囲の定義から逸脱することなく、上述した発明をさらに修正および変形することができる。
【図１】
2021529994.tif 000003
【図２】
2021529994.tif 000004
【図３】
2021529994.tif 000005
【図４】
2021529994.tif 000006
【図５】
2021529994.tif 000007
【図６】
2021529994.tif 000008
【国際調査報告】
2021529994.tif 000009
2021529994.tif 000010